(57)【要約】【課題】  カーテンウォールの改良であって、バックマリオン材の温度差による伸縮及び構造体の梁のたわみに対応できるカーテンウォールを提供することを課題としている。【解決手段】  該Ｈ形鋼又はビルドアップＩ形鋼には張力を加えるボルト・ナットを組み合わせた張力調節手段が設けられているカーテンウォールにおいて、バックマリオン材の軸方向に一定の張力を付加した時、一定の張力を常に保つための、前記バックマリオン材の上端部に、上下二枚の金属平板の間に圧縮コイルバネを設ける張力維持手段を施して成るカーテンウォールに改良することで課題を解決した。【選択図】図４
0003125986.tif 000002
【実用新案登録請求の範囲】
【請求項１】
建物の外壁をなす外装材と、建物の上下の構造部材の間に立設されるバックマリオン材と、前記外装材の背面側を該バックマリオン材に連結するブラケットとを具備して構成されるカーテンウォールであり、前記バックマリオン材はＨ形鋼又はビルドアップＩ形鋼からなる単一の鋼材であって、該Ｈ形鋼又はビルドアップＩ形鋼には張力を加えるボルト・ナットを組み合わせた張力調節手段が設けられているカーテンウォールにおいて、前記バックマリオン材の軸方向に一定の張力を付加した時、一定の張力を常に保つための前記バックマリオン材の上端部に上下二枚の金属平板の間に圧縮コイルバネを設ける張力維持手段を施して成るカーテンウォール。
【考案の詳細な説明】
【技術分野】
【０００１】本考案はカーテンウォールの改良に係わるものである。
【背景技術】
【０００２】  建物の外壁面をガラス貼りとしたり、金属パネル貼りにするなどの場合に、用いられるカーテンウォール工法は、軽量化、断熱性の向上、現場作業の削減（工期の短縮）が可能になる等の様々な利点を有する工法である。カーテンウォールは、ガラスや金属パネルなどの外装材と、建物躯体の構造部材との間にガラスや、金属パネルを支持するマリオン材を、鉄骨などの構造部材に取付けることにより、外壁面を構成している。つまり、ガラスや金属パネルの外装材は、マリオン材を介して躯体の構造部材に取付けられている。
特開平９−４１０４号公報は、従来のカーテンウォールの公知例を示している。同公報記載の発明は、外装材を支持する方立を、躯体に対し結合金具を用いて結合し、この結合金具はボルト・ナットを使用することなく、躯体に接合されるため、外観を損なうことなく、カーテンウォールの施工を可能ならしめると言った発明である。このため、従来必要だった金具類（ボルト・ナット等を含む）を覆うカバーが不要となり、且つアングル材を用いていないので部品点数が削減されるとともに、位置調整が容易となる長所を有するとされている。
【特許文献１】特開平９−４１０４号広報
【特許文献２】特許第３７８１４２６号
【考案の開示】
【考案が解決しようとする課題】前述した特開平９−４１０４号公報記載のカーテンウォールとその施工方法に関する発明は、結合金属のカバー、ボルト・ナット等が不要になる利点はあるものの、外装材の風圧に対する対策が何ら施されていないため、強風の対応策としては、外装材と方立とを連結する結合金具の数を多くすることで対処せざるを得ないという課題がある。結合金具の数を多くすることは、全体としてのコスト高を招くとともに、部品点数の削減と言う目的と相反する課題が依然として残ることを意味する。また、外装材としてガラスを使用した場合、多くの結合金具が外部から目視できるため、やはり外観を損なうと言う課題がある。そのため、同一出願人に依る特許出願がなされており、前記問題点を解決する手段が提案されているが、本考案はこの特許出願と係わる、カーテンウォールの改良であって、バックマリオン材の温度差による伸縮及び構造体の梁のたわみに対応できるカーテンウォールを提供することを課題としている。
【問題を解決するための手段】
建物の外壁をなす外装材と、建物の上下の構造部材の間に立設されるバックマリオン材と、前記外装材の背面側を該バックマリオン材に連結するブラケットとを具備して構成されるカーテンウォールであり、前記バックマリオン材はＨ形鋼又はビルドアップＩ形鋼からなる単一の鋼材であって、該Ｈ形鋼又はビルドアップＩ形鋼には張力を加えるボルト・ナットを組み合わせた張力調節手段が設けられているカーテンウォールにおいて、バックマリオン材の軸方向に一定の張力を付加した時、一定の張力を常に保つための、前記バックマリオン材の上端部に、上下二枚の金属平板の間に圧縮コイルバネを設ける張力維持手段を施して成るカーテンウォールに改良することで課題を解決した。
【考案の効果】
本考案により課題は十分に解決し、固有の効果が有る。
【考案を実施するための最良の形態】  図１は本発明―実施形態に係わるカーテンウォールによって構成された外装材を示す正面図、図２はカーテンウォールの全体構成の概略を示した概略断面図である。図１及び図２に示されるように、本実施形態のカーテンウォール１０は、鉄骨を構造部材（建築構造体）とする建物の外装材に適用した場合であり、外装材として複数のサッシ１２、１２・・で構成されたガラス貼りのカーテンウォールを想定している。
図２に示されるように、カーテンウォール１０は、外装材をなすガラスが入った複数のサッシ１２，１２・・の他、バックマリオン材１４と、張力調節手段１６と、張力維持部品圧縮コイルバネ５２と、圧縮コイルバネ５２を上下で挟む金属製平板５１Ａ，５１Ｂとブラケット１８等とから構成されている。各サッシ１２、１２・・は、その側部のフレーム１７、１７、並びに上部、下部が、躯体の上部下部の巾木フレーム１９Ａ，１９Ｂに、挿し込まれて支持されていると共に、各サッシとフレームの間にはコーキング剤などによる防水処理が施されている。また、サッシ１２、１２・・の背面側は、ブラケット１８を介して後述するバックマリオン材１４によって支持されている。バックマリオン材１４の上部は、張力調節手段１６を介して、建物の梁２０に取り付けられているとともに、下部は、基礎コンクリート２１に固定されている。
図３はバックマリオン材１４と建物の構造部材とを連結している張力調整手段１６と圧縮コイルバネ（張力維持手段５３）の詳細図である。図２及び図３に示されるように、バックマリオン材１４は、Ｈ形鋼又はビルドアップＩ形鋼を利用して製作された上下方向に延出する鋼材であり、その上部が張力調節手段１６を介して建物の構造部材の梁２０に取付けられている。
図４は〔図３〕をＶＩの方向より視た詳細断面図で、接続金具３０Ｂのボルト止め孔は縦方向にルーズとし、バックマリオン材の軸方向の伸縮及び躯体梁の上下移動に際し一定以上の応力が付加されたときには上下移動を可能にする。よって締付ボルト３２の締付力は移動に対応する程度とする。
又金属製平板５１Ａと５１Ｂには圧縮コイルバネのずれを防止し、固定するためのガイド金物を、鋼材でリング状に加下した物を取付、圧縮コイルバネを固定する。
【図面の簡単な説明】
【図１】本考案の―実施形態に係わるカーテンウォールによって構成された外装材を示す正面図である。
【図２】同じく、本実施形態に係わるカーテンウォールの全体構成の概略を示した概略断面図である。
【図３】同じく、本実施形態における要部であるバックマリオン材と建物の構造部材とを連結している張力調節手段と張力維持手段の詳細を示す詳細断面図である。
【図４】図３をＩＶ方向から視た詳細断面図である。
【符号の説明】
１０    カーテンウォール
１２    サッシ
１４    バックマリオン材
１４Ａ  側面部
１６    張力調節手段
１７    フレーム
１８    ブラケット
１９Ａ  １９Ｂ  巾木フレーム
２０    梁（建築構造体）
２０Ａ  側面部
２１    コンクリート基礎
２２    カバー
２２Ａ  垂直部
２２Ｂ  水平部
２２Ｃ  ボルト孔
２４    固定ボルト
２５    ワッシャ
２６Ａ  ２６Ｂ  ナット
２８    連結部材
２８Ａ  作業用孔
３０    接続金具（アングル材）
３０Ａ  水平部
３０Ｂ  鉛直部
３０Ｃ  長孔
３２    ボルト・ナット
３４    接合部材
３４Ａ  水平部
３４Ｂ  立上り部
３６    ボルト・ナット（トルシア型）
３８    ボルト・ナット
４０    支持金具（押縁）
４２    ボルト・ナット
４４    アンカー
４６    当て板
４８    ボルト・ナット
５１Ａ  金属製平板（上部）
５１Ｂ  金属製平板（下部）
５２    圧縮コイルバネ（張力維持部品）
５３    張力維持手段
【図１】
0003125986.tif 000003
【図２】
0003125986.tif 000004
【図３】
0003125986.tif 000005
【図４】
0003125986.tif 000006